(57)【要約】【課題】  ＣＣＤの背面側を省スペース化するとともに、ＣＣＤの取付作業を簡単に行えるようにする。【解決手段】デジタルカメラのレンズ鏡筒１５の背面に、ＣＣＤ２５をマウントするためのバヨネット方式のマウント部２８を設ける。マウント部２８に第１及び第２保持部材３５，３６を設ける。ＣＣＤ２５のベース部材３９に第１及び第２ピン４２，４３を設ける。各保持部材３５，３６に、各ピン４２，４３にそれぞれ係合する第１及び第２ガイド溝４６，４９を形成する。このＣＣＤ２５の各ピン４２，４３を、それぞれ第１及び第２ガイド溝４６，４９に係合させてから、ＣＣＤ２５を時計方向に回転させるだけで、ＣＣＤ２５をマウント部２８に保持させられるので、ＣＣＤ２５の背面側のスペースを省スペース化するとともに、ＣＣＤ２５の取付作業を簡単に行うことができる。【選択図】        図３
2005253009.tif 000002
【特許請求の範囲】
【請求項１】
撮影レンズを収納したレンズ鏡筒と、前記レンズ鏡筒を介して結像された被写体像を撮像する撮像素子とを備えたデジタルカメラにおいて、
前記撮像素子は、バヨネット方式の保持手段により前記レンズ鏡筒に保持されていることを特徴とするデジタルカメラ。
【請求項２】
前記撮像素子は、その中心が前記レンズ鏡胴の光軸と一致するように保持された保持位置と、前記レンズ鏡筒から取り外し可能な取り外し位置との間で回動可能に前記保持手段により保持されていることを特徴とする請求項１記載のデジタルカメラ。
【発明の詳細な説明】
【技術分野】
【０００１】
本発明は、撮影レンズを収納したレンズ鏡筒を介して結像された被写体像を撮像する撮像素子を備えたデジタルカメラに関するものである。
【背景技術】
【０００２】
近年急速に普及しているデジタルカメラのカメラ本体内には、撮影レンズを収納したレンズ鏡筒を介して結像された被写体像を撮像するＣＣＤイメージセンサ（以下、単にＣＣＤという）等の撮像素子が取り付けられている。このＣＣＤが、デジタルカメラを持ち運ぶ際の振動などで、その中心がレンズ鏡筒の光軸に対してずれた状態になってしまうと、ズーム操作時に被写体画像がシフトするという現象、所謂光軸ずれが発生してしまう。また、ＣＣＤの受光面が、光軸に対して傾いた状態になってしまうと、片ボケが発生して、撮像された画像の品質を著しく低下させてしまう。
【０００３】
そのため、例えば、特許文献１に記載されているように、ＣＣＤを保持する保持部材を設ける。そして、このＣＣＤを保持した保持部材を、ＣＣＤの中心とレンズ鏡筒の光軸とが一致するように、レンズ鏡筒に取り付ける。次いで、保持部材の背面側（受光面と反対の面側）にプレートを配置するとともに、このプレートの背面側からビス止めを行うなどして、ＣＣＤをレンズ鏡筒に固定するのが通常である。また、特許文献２に記載されているように、ＣＣＤの外周に、レンズ鏡筒に形成されたＣＣＤ取付用の爪部に係合する係合部を形成する。そして、この係合部を爪部に係合させるように、ＣＣＤをレンズ鏡筒に取り付けるともに、必要に応じて、ネジまたは接着剤を用いてＣＣＤをレンズ鏡筒に固定する方法もある。
【０００４】
【特許文献１】特開平１１−４１５２８号公報（第３〜第４頁）
【特許文献２】特開平１１−２９５５７６号公報（第３〜第４頁）
【発明の開示】
【発明が解決しようとする課題】
【０００５】
前記特許文献１に記載されている方法を用いた場合には、ＣＣＤとカメラ本体内の回路基板（マザーボード）との間に、これらプレートやビス等を取り付けるためのスペースを設ける必要があるので、カメラの小型化が難しくなってしまう。また、前記特許文献２に記載されている方法を用いた場合には、爪部を係合部に係合させるだけではＣＣＤの取付強度に問題がある。そのため、ＣＣＤをレンズ鏡筒に完全に固定するには、ネジ止めや接着を行う必要がある。その結果、ＣＣＤの取り付け作業に手間が掛かってしまうので、カメラの製造コストが高くなってしまう。
【０００６】
本発明は、上記問題を解決するためのものであり、ＣＣＤの背面側のスペースの無駄を無くし、さらに、ＣＣＤを簡単にレンズ鏡筒に取り付けられるような構造を有するデジタルカメラを提供することを目的とする。
【課題を解決するための手段】
【０００７】
本発明は、撮影レンズを収納したレンズ鏡筒と、前記レンズ鏡筒を介して結像された被写体像を撮像する撮像素子とを備えたデジタルカメラにおいて、前記撮像素子は、バヨネット方式の保持手段により前記レンズ鏡筒に保持されていることを特徴とする。また、前記撮像素子は、その中心が前記レンズ鏡胴の光軸と一致するように保持された保持位置と、前記レンズ鏡筒から取り外し可能な取り外し位置との間で回動可能に前記保持手段により保持されていることが好ましい。
【発明の効果】
【０００８】
本発明のデジタルカメラは、撮影レンズを収納したレンズ鏡筒と、前記レンズ鏡筒を介して結像された被写体像を撮像する撮像素子とを備え、前記撮像素子をバヨネット方式の保持手段により前記レンズ鏡筒に保持させるようにしたので、撮像素子の背面側のスペースを省スペース化することができる。これにより、デジタルカメラのさらなる小型化が可能になる。また、ビス（ネジ）止めや接着を行う必要がなくなるので、撮像素子の取付作業を簡単に行うことができる。その結果、デジタルカメラの製造コストを低くすることができる。
【発明を実施するための最良の形態】
【０００９】
図１及び図２は、本発明を実施したデジタルカメラ１０の正面斜視図、及び背面斜視図を示したものである。デジタルカメラ１０は、各種撮影機構が組み込まれたカメラ本体（図示せず）と、このカメラ本体を覆う本体カバー１２とから構成されている。この本体カバー１２の前面には、撮影レンズ１４が組み込まれたレンズ鏡筒１５、ファインダを構成する対物側ファインダ窓１７、被写体に向けてストロボ光を照射するストロボ発光部１８等が設けられている。また、本体カバー１２の上面にはレリーズボタン１９が設けられている。
【００１０】
本体カバー１２の背面には、ファインダを構成する接眼ファインダ窓２０、撮影時に電子ビューファインダ（ＥＶＦ）としても機能する液晶モニタ（ＬＣＤ）２１、モード選択ボタン２２、操作ボタン２３等を備えている。モード選択ボタン２２によって選択される動作モードとしては、例えば、静止画の撮影を行う撮影モード、撮影画像の再生を行う再生モード、動画の撮影を行う動画モード等がある。
【００１１】
他のデジタルカメラと同様に、レンズ鏡筒１５の背面側には、このレンズ鏡筒１５を介して結像された被写体像を撮像するＣＣＤ２５（図３及び図４参照）が設けられている。ＣＣＤ２５は、撮影者によりレリーズボタン１９が押下されたときに、レンズ鏡筒１５（撮影レンズ１４）を介して、その受光面に結像された被写体画像をアナログの画像信号として取り込む。この際に、レンズ鏡筒１５の光軸とＣＣＤ２５の中心とがずれた状態になっていると、光軸ずれが発生し、また、ＣＣＤ２５の受光面が光軸に対して傾いた状態になっていると、撮影画像に片ボケが発生してしまう。そのため、ＣＣＤ２５をレンズ鏡筒１５の背面に固定しておく必要があるが、前記特許文献１及び前記特許文献２に記載されているような方法では、上述したように、ＣＣＤ２５の背面側に余分なスペースが必要になったり、ＣＣＤ２５の取り付け作業が面倒になったりしてしまう。
【００１２】
そこで、本実施例では、デジタルカメラや写真カメラなどにレンズ鏡筒や、外付けのフラッシュ装置を取り付けるのによく利用されているバヨネット方式のマウント方法を用いる。バヨネット方式のマウント方法は、取り付ける側（レンズ鏡筒など）を取り付けられる側（デジタルカメラなど）のマウント部に嵌合させて、回転させるだけで、着脱が可能な構造を有しているので、ビス（ネジ）止め、接着等を行うことなく、ＣＣＤ２５をレンズ鏡筒１５に保持させる（固定すること）ができる。以下、図３及び図４を用いて、ＣＣＤ２５を、バヨネット方式のマウント方法でレンズ鏡筒１５に保持させる構造について説明する。ここで、図３及び図４は、ＣＣＤ２５を取り付ける前、及び取り付け後のレンズ鏡筒１５を、その背面側から見た斜視図を示したものである。
【００１３】
図３に示すように、レンズ鏡筒１５の背面側、つまり、ＣＣＤ２５の受光面と対面する側には、ＣＣＤ２５を保持するためのバヨネット式のマウント部（以下、単にマウント部という）２８が形成されている。このマウント部２８の略中央部には、被写体画像をＣＣＤ２５の受光面に結像させるための矩形状の開口２９が形成されている。また、この開口２９の図中右側面側及び図中左側面側には、ＣＣＤ２５を保持する第１保持部材３５及び第２保持部材３６がそれぞれ設けられている。
【００１４】
ＣＣＤ２５は、多数の光電変換画素（図示せず）がマトリクス状または千鳥状に配置された光電変換部３８や、この光電変換部３８を保持しているベース部材３９などから構成される。ベース部材３９の背面には、複数の端子４０が突設され、各端子４０を上述の回路基（図示せず）に半田付けすることで、ＣＣＤ２５と回路基板（図示せず）とが電気的に接続される。また、このベース部材３９の図中右側面と左側面とには、詳しくは後述するが、ＣＣＤ２５を上述の第１及び第２保持部材３５，３６を用いて保持するのに必要な第１ピン４２、第２ピン４３が突設されている。
【００１５】
第１保持部材３５には、第１ピン４２と係合する第１ガイド溝４６が形成されている。この第１ガイド溝４６は、図中鉛直方向に対して略平行な方向に延びるように形成されている。第１ガイド溝４６の図中上端部は、第１保持部材３５の上面を突き抜けて、開口４６ａを形成している。また、第１ガイド溝４６の図中下端部には、レンズ鏡筒１５側に屈曲した第１溝端部４６ｂが形成されている。この第１溝端部４６ｂは、第１ガイド溝４６に沿って案内された第１ピン４２を係止しつつ、この第１ピン４２を保持する。
【００１６】
第２保持部材３５は、基本的には、第１保持部材３５を開口２９の中心を起点にして１８０°回転させた構造であり、第２ピン４３と係合する第２ガイド溝４９が形成されている。この第２ガイド溝４９も、第１ガイド溝２８を開口２９の中心を起点にして１８０°回転させた形状に形成されており、その図中下端部は、第２保持部材３６の下面を突き抜けて、開口４９ａを形成している。また、第２ガイド溝４９の図中上端部にも、上述の第１溝端部４６ｂと同様に、レンズ鏡筒１５側に屈曲した第２溝端部４９ｂが形成されている。第２溝端部４９ｂは、第１ガイド溝４９に沿って案内された第２ピン４３を係止しつつ、この第２ピン４３を保持する。
【００１７】
また、本実施例では、第１及び第２溝端部４６ｂ，４９ｂ内に、各溝端部４６ｂ，４９ｂに案内された第１及び第２ピン４２，４３を確実に保持できるように、板バネ５３，５４がそれぞれ設けられている。板バネ５３，５４は、各ピン４２，４３をマウント部２８側に押さえ付けることで、各ピン４２，４３を動かないように保持する（図４参照）。なお、板バネ５３，５４を設ける代わりに、例えば、突起などを形成してもよい。
【００１８】
第１ガイド溝４６は、その図中上端部が開口しており、第２ガイド溝４９は、その図中下端部が開口している。従って、ＣＣＤ２５をマウント部２８に取り付けるときは、ＣＣＤ２５を図中反時計方向に回動させた状態にしてから、ＣＣＤ２５の第１及び第２ピン４２，４３を、それぞれ第１ガイド溝４６及び第２ガイド溝４９に係合させる。第１及び第２ピン４２，４３を、それぞれ第１ガイド溝４６及び第２ガイド溝４９に係合させたら、ＣＣＤ２５を図中時計方向に回動させる。ＣＣＤ２５を図中時計方向に回動させると、第１ピン４２が、第１ガイド溝４６に沿って、その下端部の第１溝端部４６ｂに案内されるとともに、第２ピンが、第２ガイド溝４９に沿って、その上端部の第２溝端部４９ｂに案内される。
【００１９】
さらに、ＣＣＤ２５を図中時計方向に回動させると、図４に示すように、各ピン４２, ４３は、それぞれ第１及び第２溝端部４６ｂ，４９ｂで係止されるのと同時に、板バネ５３，５４により保持される。この状態で、ＣＣＤ２５の中心がレンズ鏡筒１５の光軸と一致しつつ、且つ、光軸に対して傾いた状態にならないように、予め第１及び第２ピン４２，４３の取り付け位置や長さを調整しておくとともに、各ガイド溝４６，４９及び各溝端部４６ｂ，４９ｂの形状、溝の深さ、形成する位置を等調整しておく。これにより、光軸ずれや片ボケが発生しないように、ＣＣＤ２５をマウント部２８、つまり、レンズ鏡筒１５に保持させることができる。
【００２０】
ＣＣＤ２５を取り外したいときは、ＣＣＤ２５を図中反時計方向に回動させることで、板バネ５３，５４による第１及び第２ピン４２，４３の保持が解除される。そして、さらに、反時計方向への回動を継続することで、第１ピン４２が、第１ガイド溝４６に沿って開口４６ａに案内されるとともに、第２ピン４３が、第２ガイド溝４９に沿って開口４９ａに案内される。これにより、第１及び第２ピン４２，４３をそれぞれ第１及び第２ガイド溝４６，４９から取り外すことができる。つまり、ＣＣＤ２５をマウント部２８から取り外すことができる。再度ＣＣＤ２５を取り付ける場合には、第１及び第２ピン４２，４３を、それぞれ第１ガイド溝４６、第２ガイド溝４９に係合させてから、ＣＣＤ２５を時計方向に回動させればよい。つまり、ＣＣＤ２５を、その中心が前記レンズ鏡胴の光軸と一致するように保持された保持位置と、レンズ鏡筒１５から取り外し可能な取り外し位置との間で回動させるだけで、ＣＣＤ２５の着脱を行うことができる。
【００２１】
次に、本構成のデジタルカメラ１０のＣＣＤ２５の取付作業について、図５（ａ），（ｂ）を用いて説明する。ここで、図５（ａ），（ｂ）は、マウント部２８の正面図である。ＣＣＤ２５をマウント部２８に固定するときは、最初に、ＣＣＤ２５の第１及び第２ピン４２，４３を、それぞれ第１ガイド溝４６及び第２ガイド溝４９に係合させるように、ＣＣＤ２５を図中反時計方向に回転させた状態にしておく（図５（ａ）参照）。
【００２２】
第１及び第２ピン４２，４３を、開口４６ａ，４９ａからそれぞれ第１ガイド溝４６及び第２ガイド溝４９に係合させたら、ＣＣＤ２５を図中時計方向に回動させる。ＣＣＤ２５を図中時計方向に回動させると、第１ピン４２が、第１ガイド溝４６に沿って第１溝端部４６ｂに案内されるとともに、第２ピン４３が第２溝端部４９ｂに案内される。ＣＣＤ２５を上述の保持位置まで回動させると、各ピン４２，４３は、それぞれ第１及び第２溝端部４６ｂ，４９ｂで係止されるのと同時に、板バネ５３，５４によって保持される。これにより、ＣＣＤ２５がマウント部２８に保持されて、レンズ鏡筒１５へのＣＣＤ２５の取付作業が完了する（図５（ｂ）参照）。ＣＣＤ２５を取り外すときは、上述の手順と逆の作業、つまり、ＣＣＤ２５を上述の取り外し位置まで反時計方向に回動させればよい。      
【００２３】
マウント部２８を、いわゆるバヨネット方式のマウント構造にすることで、ビス（ネジ）止めや接着を行う必要がなくなり、ＣＣＤ２５の取付作業を簡単に行うことができる。これにより、デジタルカメラ１０の製造コストを下げることが可能となる。また、ＣＣＤ２５の背面側にビスやプレートを配置する必要がないので、ＣＣＤ２５の背面側のスペースを省スペース化することができる。その結果、デジタルカメラ１０をさらに小型化することが可能になる。
【００２４】
なお、本実施例では、ＣＣＤ２５をマウント部２８に固定するための保持部材とピンとが、開口２９の左右側面側とＣＣＤ２５の左右側面とにそれぞれ２個ずつ設けられているが、本発明は２個に限定されるものではなく、必要に応じて３個以上設けても良い。
【００２５】
また、本実施例では、マウント部２８に設けられた第１及び第２保持部材３５，３６と、ＣＣＤ２５に設けられた第１及び第２ピン４２，４３とにより、ＣＣＤ２５をマウント部２８（レンズ鏡筒１５）に保持させているが、本発明はこれに限定されるものではなく、ＣＣＤ２５を回動させるだけでマウント部２８への着脱が可能なバヨネット方式のマウント構造であれば、任意の形態を用いてよい。例えば、マウント部２８にバヨネットリング（図示せず）やバヨネット爪等を設けるとともに、ＣＣＤ２５の側面にバヨネット爪を設けたり、バヨネット突起（図示せず）や切り欠き等を形成したりしてもよい。
【図面の簡単な説明】
【００２６】
【図１】本発明を実施したデジタルカメラの正面斜視図である。
【図２】デジタルカメラの背面斜視図である。
【図３】デジタルカメラのレンズ鏡筒のマウント部の斜視図であり、ＣＣＤをマウント部に固定する前の状態を示した図である。
【図４】レンズ鏡筒のマウント部の斜視図であり、ＣＣＤをマウント部に固定した後の状態を示した図である。
【図５】マウント部の正面図であり、（ａ）は、ＣＣＤをマウント部の保持部材に固定するときの状態、（ｂ）は、ＣＣＤをマウント部の保持部材に固定した後の状態を示したものである。
【符号の説明】
【００２７】
１０  デジタルカメラ
１５  レンズ鏡筒
２５  ＣＣＤ
２８  マウント部
３５  第１保持部材
３６  第２保持部材
４２  第１ピン
４３  第２ピン
４６  第１ガイド溝
４６ｂ  第１溝端部
４９  第２ガイド溝
４９ｂ  第２溝端部
５３，５４  板バネ
【図１】
2005253009.tif 000003
【図２】
2005253009.tif 000004
【図３】
2005253009.tif 000005
【図４】
2005253009.tif 000006
【図５】
2005253009.tif 000007